(57)【要約】【課題】扉の内側および外側において共通の固定裏板と嵌合丸座を使用することができ、部品の種類を少なくしてコストダウンを図ることができるようにする。【解決手段】扉１面におけるハンドルレバー２，３の取り付け位置において取り付けられる固定裏板７と、この固定裏板７に結合され固定裏板７を覆うキャップ状の嵌合丸座１５とからなり、固定裏板７は中央部に外側に膨らむ膨らみ部９が形成され、この膨らみ部９の中央にハンドルレバー２，３を支持すべく錠装置から突出する角軸５を挿通させる丸孔１０が形成され、固定裏板７の中心を通る線上で膨らみ部９の外周から突出する複数の係止片１１が形成されており、嵌合丸座１５はハンドルレバー２，３の先端に外嵌する丸孔１６が形成され、この嵌合丸座１５は筒部１５ａの内周面に固定裏板７の係止片１１を係止させる複数の係止溝１９が形成されている。【選択図】図１
2008208617.tif 000002
【特許請求の範囲】
【請求項１】
ハンドルレバーの取り付け位置において扉面に取り付けられる固定裏板と、この固定裏板に結合され固定裏板を覆うキャップ状の嵌合丸座とからなり、前記固定裏板は中央部に扉面に対向する面とは反対側に膨らむ膨らみ部が形成され、この膨らみ部の中央にハンドルレバーを支持すべく錠装置から突出する角軸を挿通させる孔が形成され、固定裏板の中心を通る線上で膨らみ部の外周から突出する複数の係止片が形成されていて、この係止片は固定裏板の中心と同心円上に形成されていて、一端側から他端側に向って徐々に厚みが厚くなるようにテーパー状に形成されており、前記嵌合丸座は前記ハンドルレバーの回転中心となる軸部に外嵌する丸孔が形成され、この嵌合丸座は筒部の内周面に前記固定裏板の複数の係止片を係止させる複数の係止溝が形成されており、この係止溝は入口部から徐々に狭くなるようにテーパー部を備え、このテーパー部の奥にテーパーでない嵌入用凹部を備えていて、前記テーパー部と嵌入用凹部との間には係止用の段差部が形成されていることを特徴とする扉のハンドルレバー用座。
【請求項２】
ハンドルレバーは扉面に対して直角に向く軸部と、この軸部に繋がり扉面に対して平行に向く握り部とからなり、嵌合丸座はハンドルレバーの軸部に回転可能に結合されていることを特徴とする請求項１記載の扉のハンドルレバー用座。
【発明の詳細な説明】
【技術分野】
【０００１】
本発明は、扉に取り付けられるハンドルレバーの根元部を覆って化粧するための扉のハンドルレバー用座に関するものである。
【背景技術】
【０００２】
従来のこの種扉のハンドルレバー用座としては、例えば特許文献１に開示されているように、内側のハンドル側では第１の固定裏板と第１の嵌合丸座を用い、外側のハンドル側では第２の固定裏板と第２の嵌合丸座を用い、扉の外面側に位置する第２の固定裏板に設けられる長筒部を扉の厚さ方向に挿通させて扉の内面側において第１の固定裏板を前記長筒部に螺入するねじにより固定し、この第１の固定裏板に形成された係合切欠部に第１の固定裏板を覆う第１の嵌合丸座の内周面の係合突起を係合させ、前記第２の固定裏板に対し第２の嵌合丸座は第１の固定裏板に対する第１の嵌合丸座の固定とは別の構造で固定的に嵌合している扉のハンドル用座が知られている。
【特許文献１】特開２０００−２０２４号公報
【発明の開示】
【発明が解決しようとする課題】
【０００３】
上記特許文献１に開示されている構成では、扉の内側の第１の固定裏板と扉の外側の第２の固定裏板、および扉の内側の第１の嵌合丸座と扉の外側の第２の嵌合丸座とは互いに構成が異なり、それぞれの部材を別々に製造して用意しなければならず、部品の種類が多くなるとともにコストアップに繋がるという問題があった。また、第１の嵌合丸座および第２の嵌合丸座はハンドルに対し結合されておらず、扉に対するハンドルの取り付け作業時においてそれぞれの部品の取り扱いに手間がかかるという問題があった。
【０００４】
本発明の目的は、このような課題を解決するものであり、扉の内側および外側において共通の固定裏板と嵌合丸座を使用することができ、部品の種類を少なくしてコストダウンを図ることができ、また扉に対するハンドルおよびハンドルレバー用座の取り付け作業を効率良く行なえるようにした扉のハンドルレバー用座を提供することにある。
【課題を解決するための手段】
【０００５】
本発明の請求項１に記載の扉のハンドルレバー用座は、ハンドルレバーの取り付け位置において扉面に取り付けられる固定裏板と、この固定裏板に結合され固定裏板を覆うキャップ状の嵌合丸座とからなり、前記固定裏板は中央部に扉面に対向する面とは反対側に膨らむ膨らみ部が形成され、この膨らみ部の中央にハンドルレバーを支持すべく錠装置から突出する角軸を挿通させる孔が形成され、固定裏板の中心を通る線上で膨らみ部の外周から突出する複数の係止片が形成されていて、この係止片は固定裏板の中心と同心円上に形成されていて、一端側から他端側に向って徐々に厚みが厚くなるようにテーパー状に形成されており、前記嵌合丸座は前記ハンドルレバーの回転中心となる軸部に外嵌する丸孔が形成され、この嵌合丸座は筒部の内周面に前記固定裏板の複数の係止片を係止させる複数の係止溝が形成されており、この係止溝は入口部から徐々に狭くなるようにテーパー部を備え、このテーパー部の奥にテーパーでない嵌入用凹部を備えていて、前記テーパー部と嵌入用凹部との間には係止用の段差部が形成されていることを特徴とする。
【０００６】
請求項２に記載の扉のハンドルレバー用座は、ハンドルレバーは扉面に対して直角に向く軸部と、この軸部に繋がり扉面に対して平行に向く握り部とからなり、嵌合丸座はハンドルレバーの軸部に回転可能に結合されていることを特徴とする。
【発明の効果】
【０００７】
以上のように、本発明の扉のハンドルレバー用座は、固定裏板の係止片と嵌合丸座の係止溝を係止させることにより固定裏板に嵌合丸座が結合されるようになっており、これら固定裏板と嵌合丸座からなるハンドルレバー用座は扉の内側および外側において使用することができ、部品の種類を少なくしてコストダウンを図ることができる。また、嵌合丸座をハンドルレバーの軸部に回転可能に結合してあることにより、錠装置から突出する角軸にハンドルレバーを支持すると同時に嵌合丸座を固定裏板に結合させることができ、扉に対するハンドルおよびハンドルレバー用座の取り付け作業を効率良く行なえるようにした扉のハンドルレバー用座を提供することができる。
【発明を実施するための最良の形態】
【０００８】
以下、本発明の一実施の形態を、図１〜図７を用いて具体的に説明する。
図において、１は内側および外側においてそれぞれハンドルレバー２および３が取り付けられる扉で、この扉１にはハンドルレバー２および３の取り付け位置に内外を貫通する孔部４が形成されている。扉１の内部は空洞になっていて、ハンドルレバー２および３の取り付け位置において扉１の内部には２点鎖線で示す錠装置Ａが設けられており、この錠装置Ａに係合して扉１の内側および外側に突出する角軸５にハンドルレバー２および３が支持されて取り付けられるようになっている。
【０００９】
前記ハンドルレバー２および３はそれぞれ扉１面に対して直角に向きハンドルレバー２および３の回転中心となる軸部２ａ，３ａと、この軸部２ａ，３ａに繋がり扉１面に対して平行に向く握り部２ｂ，３ｂとからなり、前記角軸５の先端が前記軸部２ａ，３ａの角孔２ｃ，３ｃに嵌入し、軸部２ａ，３ａの外部からねじ６により結合されるようになっている。
【００１０】
７は前記孔部４の外側で中央に前記角軸５を挿通させる丸孔８ａが形成された取り付け用プレート８を介して扉１面に取り付けられる固定裏板で、この固定裏板７は中央部に扉１面に対向する面とは反対側に膨らむ膨らみ部９が形成され、この膨らみ部９の中央に前記角軸５を挿通させる丸孔１０が形成され、固定裏板７の中心を通る線上で膨らみ部９の外周から突出する一対の係止片１１が形成されている。この係止片１１は固定裏板７の中心と同心円上に形成されていて、一端側から他端側に向って徐々に厚みが厚くなるようにテーパー状に形成されている。１２は固定裏板７の前記膨らみ部９でない厚みの薄い部分で対向２箇所に形成されている取り付け孔で、前記取り付け用プレート８にはこの取り付け孔１２に合致する孔部１３が形成されている。そして、この固定裏板７を扉１面に取り付ける場合、先ず取り付け用プレート８をハンドルレバー２および３の取り付け位置における扉１面に当てがい、前記孔部１３に取り付け孔１２を合致させた状態で固定裏板７を取り付け用プレート８に重ね、取り付け孔１２から孔部１３を介して取り付けねじ１４を扉１のねじ孔１ａに螺入させて固定裏板７を扉１面に取り付ける。
【００１１】
１５は前記ハンドルレバー２および３の軸部２ａ，３ａに回転可能に結合され前記固定裏板７を覆うキャップ状の嵌合丸座で、この嵌合丸座１５は中央に前記軸部２ａ，３ａの先端の小径部２ｄ，３ｄに外嵌する丸孔１６が形成され、嵌合丸座１５を小径部２ｄ，３ｄに外嵌させた状態で小径部２ｄ，３ｄの奥の段部２ｅ，３ｅの位置でワッシャー１７ａ，１７ｂ，１７ｃで挟み、止め輪１８により小径部２ｄ，３ｄの長さ方向に移動しないように構成されている。この嵌合丸座１５は筒部１５ａの内周面に前記固定裏板７の一対の係止片１１を係止させる係止溝１９が対向２箇所に形成されている。この係止溝１９は入口部１９ａから徐々に狭くなるようにテーパー部１９ｂを備え、このテーパー部１９ｂの奥にテーパーでない深さの浅い嵌入用凹部１９ｃを備えている。そしてテーパー部１９ｂと嵌入用凹部１９ｃとの間には係止用の段差部１９ｄが形成されている。
【００１２】
上記構成において、ハンドルレバー２および３を扉１の内面および外面に取り付ける場合は、先ず扉１の内面および外面に前記取り付け用プレート８を介して固定裏板７を取り付けねじ１４により扉１面に取り付ける。この状態でハンドルレバー２および３に回転可能に結合されている嵌合丸座１５を固定裏板７に嵌合させて結合させるのであるが、その前に扉１の内部の錠装置Ａに係合する角軸５が扉１の内側および外側に突出するように設けられ、この扉１から突出する角軸５にハンドルレバー２および３の軸部２ａ，３ａの角孔２ｃ，３ｃを嵌合させると同時に嵌合丸座１５を固定裏板７に嵌めた状態で嵌合丸座１５の係止溝１９を固定裏板７の係止片１１に位置合わせし、かかる状態で嵌合丸座１５を回転させて係止片１１を係止溝１９内に位置させて前記段差部１９ｄに係止させる。なお、前記角軸５に嵌合された軸部２ａ，３ａはねじ６により角軸５に固定される。これらの作業は扉１の両面で行なわれ、扉１に対するハンドルレバー２および３の取り付けは完了する。
【００１３】
修理などのために嵌合丸座１５を固定裏板７から外す場合は嵌合丸座１５を取り付ける場合とは逆方向に少し力を加えて回転させることにより前記段差部１９ｄが係止片１１から外れて嵌合丸座１５を固定裏板７から外すことができる。
【００１４】
ところで、図面に示す実施の形態では固定裏板７の係止片１１は固定裏板７の中心を通る線上で膨らみ部９の外周から突出するように一対形成され、嵌合丸座１５にはこの係止片１１に合うように筒部１５ａの内周面に係止溝１９が２箇所形成されているが、係止片１１および係止溝１９の数は２つに限定されるものではなく、３つ以上であっても良い。
【００１５】
また、本実施の形態において使用される各部品の材料は適宜選択されるものであるが、特に前記取り付け用プレート８、固定裏板７、嵌合丸座１５については合成樹脂あるいは金属を材料にして作られるものである。
【図面の簡単な説明】
【００１６】
【図１】本発明の一実施の形態におけるハンドルレバー用座およびハンドルレバーの分解斜視図である。
【図２】同固定裏板の拡大斜視図である。
【図３】同嵌合丸座の拡大斜視図である。
【図４】同ハンドルレバーを扉に取り付けた状態を示す平面図である。
【図５】同ハンドルレバーを扉に取り付けた状態を示す水平断面図である。
【図６】同固定裏板に嵌合丸座を嵌合させた状態を示す透視斜視図である。
【図７】同固定裏板に嵌合丸座を結合させた状態を示す透視斜視図である。
【符号の説明】
【００１７】
１                      扉
２，３                  ハンドルレバー
２ａ，３ａ              軸部
２ｂ，３ｂ              握り部
２ｃ，３ｃ              角孔
２ｄ，３ｄ              小径部
２ｅ，３ｅ              段部
４                      孔部
５                      角軸
６                      ねじ
７                      固定裏板
８                      取り付け用プレート
９                      膨らみ部
１０                      丸孔
１１                      係止片
１２                      取り付け孔
１３                      孔部
１４                      取り付けねじ
１５                      嵌合丸座
１５ａ                    筒部
１６                      丸孔
１７ａ，１７ｂ，１７ｃ    ワッシャー
１８                      止め輪
１９                      係止溝
１９ａ                    入口部
１９ｂ                    テーパー部
１９ｃ                    嵌入用凹部
１９ｄ                    段差部
Ａ                      錠装置
【図１】
2008208617.tif 000003
【図２】
2008208617.tif 000004
【図３】
2008208617.tif 000005
【図４】
2008208617.tif 000006
【図５】
2008208617.tif 000007
【図６】
2008208617.tif 000008
【図７】
2008208617.tif 000009